(57)【要約】【課題】  実際に測定される熱さ指数とそれに関連する警告情報を提供して熱中症予防機能を確実に果たす熱中症予防表示装置等を提供する。【解決手段】  与えられた測定値をリアルタイムに所定の方向に沿って段階的に表示する第１表示部２と、第１表示部２に沿って配置され測定値の所定幅それぞれに対応して警告表示記載９がなされた第２表示部３とを備えてなる警告表示装置。【選択図】図１
0003152142.tif 000002
【実用新案登録請求の範囲】
【請求項１】
与えられた測定値をリアルタイムに所定の方向に沿って段階的に表示する第１表示部と、
前記第１表示部に沿って配置され、前記測定値の所定幅それぞれに対応して警告表示記載がなされた第２表示部と、
を備えてなることを特徴とする警告表示装置。
【請求項２】
前記第２表示部に沿って配置され、前記警告表示記載それぞれに対応して詳細警告表示記載がなされた第３表示部を備える請求項１記載の警告表示装置。
【請求項３】
熱中症予防表示装置として用いられる請求項１または２記載の警告表示装置。
【考案の詳細な説明】
【技術分野】
【０００１】  この考案は、熱中症予防表示装置等として用いられる警告表示装置に関する。
【背景技術】
【０００２】  最近では乾湿温度計と、黒球温度計と、それらの測定値に基づいて得られる熱さ指数（熱中症指標  ＷＢＧＴ）を表示する表示器とが一体に備えられた熱さ指数表示装置が提供され、その装置がそれぞれの環境化に配置されることで、そこにいる者がその表示を認識して熱中症発生の防止が図られるようになっている。
【考案の開示】
【考案が解決しようとする課題】
【０００３】  しかしながら、現状においては表示器により単に熱さ指数を表示するだけであり、熱中症に関しての知識が不足する者に対しては十分な予防機能を発揮していなかった。【０００４】  この考案は上記の事情に鑑みて行ったもので、実際に測定される熱さ指数とそれに関連する警告情報を提供して熱中症予防機能を確実に果たす熱中症予防表示装置等の警告表示装置を提供することを目的とする。
【課題を解決するための手段】
【０００５】  この考案では、与えられた測定値をリアルタイムに所定の方向に沿って段階的に表示する第１表示部と、前記第１表示部に沿って配置され、前記測定値の所定幅それぞれに対応して警告表示記載がなされた第２表示部とを備えてなることを特徴とする警告表示装置を提供する。【０００６】  上記構成の警告表示装置によれば、測定値がリアルタイムに第１表示部に表示される。したがって、その測定値を知ることができるとともに、それに対応する第２表示部の警告表示記載を確認することができることで適切な予防行動がとれる。くわえて実際の測定値を知ることで警告表示記載をレベル付けして認識でき、さらに、測定値の変化に対応して認識すべき警告表示記載の変化もより綿密に予測できる。【０００７】  さらに、上記構成の警告表示装置において、第２表示部に沿って詳細警告表示記載がなされた第３表示部を設けることで、より適切な予防行動がとれるようになる。【０００８】  この考案の警告表示装置は、熱中症予防表示装置、さらには炭酸ガス発生表示装置等に好適に用いられる。警告表示装置は測定機器と一体に設けられてもよく、また、離反して設けられてもよく、離反して設けられる場合には有線、無線通信により測定機器から測定値信号を受信する構成とされる。第１表示部の表示は数値そのものを表示するようにしてもよく、また、バー変化等によって表示してもよい。第２、第３の警告表示記載は塗料により描がいてもよく、また、点灯表示するようにしてもよい。警告表示記載は、警告表示装置がスポーツ空間においては用いられる場合は運動指針に関するものとされ、職場空間において用いられる場合は作業指針に関するものとされる。
【考案の効果】
【０００９】  この考案によれば、例えば、実際に測定される熱さ指数とそれに関連する警告情報が得られることでそれに沿っての熱中症予防行動が適切に行えるようになり、これにより、環境変化に対しての各種の予防行動が適切に行えるようになる。その結果、スポーツや職場等の生活空間での安全性が確保される。
【考案を実施するための形態】
【００１０】  図１はこの考案の警告表示装置としての熱中症予防表示装置の正面図である。熱中症予防表示装置１は運動場や公園や体育館に設置されるもので、その表面Ｓに縦方向に第１表示部２と第２表示部３と第３表示部４とが並設配置されている。
【００１１】  第１表示部２は上下方向に１６個の第１表示区画５が設けられて構成され、それぞれの第１表示区画５には数値形態の透光部が形成され、その背部のＬＥＤが点灯されることでリアルタイムにＷＢＧＴ値を下段から上段にかけて順次大きくなる（１８〜３３℃）ように表示する。
【００１２】  第２表示部３は第１表示部２の３〜４個の第１表示区画５毎に対応する位置において順次配置される５個の第２表示区画７を備え、それら第２表示区画７にはＷＢＧＴ値に対応する「運動指針」に関しての警告表示記載９のそれぞれが塗料により描がかれて付されている。
【００１３】  第３表示部４は第２表示区画７それぞれに対応する５個の第３表示区画１１のそれぞれが設けられて構成され、それら第３表示区画１１それぞれには上記警告表示記載９よりさらに詳細な内容の「運動指針」に関しての詳細警告表示記載１３が塗料により描がかれて付されている。例えば、最上段の第３表示区画１１の詳細警告表示記載１３の内容は「ＷＢＧＴ値３１℃以上では、皮膚温度より気温の方が高くなり、体から熱を逃がすことができない。特別の場合以外は運動を中止する」であり、ＷＢＧＴ値に対応した具体的な内容となっている。
【００１４】  図２は熱中症予防表示装置１のブロック構成図であり、２０は制御部、２１は受信回路、２２のそれぞれは第１表示区画５それぞれにおいて点灯するＬＥＤであり、それぞれに駆動電源が与えられている。このような構成により、熱中症予防表示装置１から離れた位置に配置された測定機器からの無線通信による測定値信号が受信回路２１を介して制御部２０に与えられると、制御部２０はその測定値信号に対応するＬＥＤ２２を点灯するようにスイッチ２３に作動信号を送る。これによりＬＥＤ２２が点灯され第１表示区画５の数値形態の透光部が光ることでＷＢＧＴ値を表示し、与えられる測定値信号に対応してＬＥＤ２２の点灯が切り換えられることでＷＢＧＴ値表示も切り換えられる。
【００１５】  利用者は、第１表示部２においてＷＢＧＴ値をリアルタイムに知ることができるとともに、その環境における運動指針を第２表示部３の警告表示記載９を見ることでよって容易に認識でき、さらに第３表示部４の詳細警告表示記載１３を見ることでよってより詳細に認識できる。また、実際のＷＢＧＴ値を知ることで警告表示記載９をレベル付けして認識できる。例えば、現在ＷＢＧＴ値が２７℃の場合は「警戒」のレベルが高いと判断される。また、ＷＢＧＴ値の変化に対応して認識すべき警告表示記載９の変化もより綿密に予測できる。例えば、ＷＢＧＴ値が２７℃でその値が上昇傾向にある場合は、「警戒」から「厳重警戒」に短時間のうちに移行すると判断される。
【００１６】  このようにしてリアルタイムにＷＢＧＴ値を知ることができるとともに、それに対応する運動指針を容易、かつ綿密に認識でき、さらにその変化も予測できることで、これにより適切な熱中症予防行動がとれて熱中症の発生が防止できるようになる。
【００１７】  図３は他の実施形態を示し、このものでは警告表示装置は二酸化炭素中毒防止表示装置３０として構成されており、第１表示部３１と第２表示部３２とを備えている。第１表示部３１においては表示バー３３の上下移動によりにリアルタイムに二酸化炭素濃度を表示し、第２表示部３２にはそれに対応する警告表示記載３５のそれぞれが付されている。利用者はその環境での二酸化炭素濃度をリアルタイムに知ることができるとともに、対応する警告表示記載３５内容を認識できることで、適切な二酸化炭素中毒予防行動がとれる。
【図面の簡単な説明】
【００１８】
【図１】  この考案の警告表示装置の実施例である熱中症予防表示装置の正面図
【図２】  この考案の警告表示装置の実施例である熱中症予防表示装置のブロック構成図
【図３】  この考案の警告表示装置の他の実施例であるとしての二酸化炭素中毒防止表示装置
【符号の説明】
【００１７】１      熱中症予防表示装置（警告表示装置）
２      第１表示部
３      第２表示部
５      第１表示区画
７      第２表示区画
９      警告表示記載
【図１】
0003152142.tif 000003
【図２】
0003152142.tif 000004
【図３】
0003152142.tif 000005